(57)【要約】【課題】セルラーフォン（即ち携帯電話）、身体支持型コンピュータ及びページャーの各機能を結合させるようにした、パーソナル・コミュニケータと呼ばれる単一ユニットを提供する。【解決手段】当該パーソナル・コミュニケータは、通信モジュール２、ディスプレイ・モジュール３及びコア・コンピュータ・モジュール４という３つの取外し可能なモジュールを有する。当該コア・コンピュータ・モジュールは、汎用コンピュータの各コンポーネントのすべてを有する。それらのモジュールの各々は、分離されるときには、大型ディスプレイ・スクリーンを備えたものであるようなその他のシステムにおいて使用されることも可能である。【選択図】　　図２
2004112764.tif 000002
【特許請求の範囲】
【請求項１】
３つのモジュールを組み合わせて含んで成るパーソナル・コミュニケータであって、前記モジュールは、それぞれが取り外され得ることを許容する手段と、各々のモジュールを互いに接続させて維持する手段を有し、前記モジュールは、通信モジュール、ディスプレイ・モジュール及びコア・コンピュータ・モジュールであり、前記通信モジュールは、その内部又は外部に、前記パーソナル・コミュニケータの中に配置されるマイクロフォンと共に協働して機能し、それによって携帯電話として機能するようにした手段を備えたイヤ・ピースを有しており、前記パーソナル・コミュニケータは、タッチ起動、音声起動及びそれらの組合せで構成されたグループの中から選択される起動手段を有し、前記取外し可能なモジュールの各々は、分離されるときには、その他のエンクロージャ又はアタッチメントに対して或いはそれらと共に接続されるときに機能する手段を有し、前記コア・コンピュータ・モジュールは、単一のハウジングを有し、このハウジングはその内部に、大容量記憶手段を含む完全に機能する汎用コンピュータのコンポーネントを有し、さらに、前記コア・コンピュータ・モジュールは、任意のその他のエンクロージャーにおいて使用可能なものであるパーソナル・コミュニケータ。
【請求項２】
コア・コンピュータ・モジュールは、
少なくとも３２メガバイトのＲＡＭから成るメモリを備えた少なくとも１６ビットのマイクロプロセッサと、
少なくとも８０メガバイトの記憶メモリと
を少なくとも有する請求項１に記載のパーソナル・コミュニケータ。
【請求項３】
コア・コンピュータ・モジュールが、汎用コンピュータの各コンポーネントのすべてを備え、分離されるときには、音声起動手段、眼球追跡起動手段、脳波起動手段、頭部及び腕を追跡する手段、タッチ起動手段、及びそれらの組合せで構成されたグループの中から選択される起動手段を有する、請求項１に記載のパーソナル・コミュニケータ。
【請求項４】
テレビジョン手段、ラジオ手段、スチール写真カメラ手段、ビデオ・カメラ手段及びそれらの組合せで構成されたグループの中から選択される部材をその中に包含させるようにした、請求項１に記載のパーソナル・コミュニケータ。
【請求項５】
コア・コンピュータ・モジュールは、ページャー、ページャーの機能性、ディスプレイ・スクリーン、ｅメールの機能性及びそれらの組合せで構成されたグループの中から選択される部材を含む、請求項１に記載のパーソナル・コミュニケータ。
【請求項６】
ディスプレイ・モジュール内のディスプレイよりも実質的に大型で、更に高い解像度を有するディスプレイをモニタの中に格納しうる手段を有する、請求項１に記載のパーソナル・コミュニケータ。
【請求項７】
コア・コンピュータ・モジュールが、ディスプレイ・モジュール内のディスプレイよりも実質的に大型で、更に高い解像度を有するディスプレイをモニタの中に格納しうる手段を有し、パーソナル・オーガナイザー及び電子ファクシミリとして、ｅメールと共に機能する手段を有する、請求項１に記載のパーソナル・コミュニケータ。
【請求項８】
ユーザーの身体に取り付けるための手段を有する、請求項１に記載のパーソナル・コミュニケータ。
【請求項９】
前記取外し可能なモジュールの各々が接続されて組み立てられるとき、前記通信モジュールの中におけるアンテナ及びイヤ・ピースと、前記通信モジュール又は前記コア・コンピュータ・モジュールの中におけるマウス・ピース又はマイクロフォンとを有し、それによって、前記通信モジュールが接続されるときと当該コア・コンピュータ及びディスプレイの各モジュールから分離されるときの両方において携帯電話として機能する手段を有するようにした、請求項１に記載のパーソナル・コミュニケータ。
【請求項１０】
３つのモジュールを組み合わせて含んで成るパーソナル・コミュニケータであって、前記モジュールは、それぞれが取り外され得ることを許容する手段を有し、各々のモジュールを互いに接続させて維持する手段をも有し、前記モジュールは、通信モジュール、ディスプレイ・モジュール及びコア・コンピュータ・モジュールであり、前記コア・コンピュータ・モジュールは、少なくとも６４ＭＨｚの速度及び少なくとも３２メガバイトのメモリを有し、前記通信モジュールは、前記通信モジュールの内部又は外部において前記パーソナル・コミュニケータの中に配置されるマイクロフォンと共に協働して機能し、それによって携帯電話として機能するようにした手段を備えたイヤ・ピースを有して成り、前記パーソナル・コミュニケータは、タッチ起動、音声起動及びそれらの組合せで構成されたグループの中から選択される起動手段を有し、前記取外し可能なモジュールの各々は、分離されるときには、その他のエンクロージャ又はアタッチメントに対して或いはそれらと共に接続されるときに機能する手段を有し、前記コア・コンピュータ・モジュールは、単一のハウジングを有し、このハウジングはその内部に、大容量記憶手段を含む完全に機能する汎用コンピュータのコンポーネントを有し、さらに、前記コア・コンピュータ・モジュールは、任意のその他のエンクロージャーにおいて使用可能なものであるパーソナル・コミュニケータ。
【請求項１１】
コア・コンピュータ・モジュールは、
少なくとも３２メガバイトのＲＡＭから成るメモリを備えた少なくとも１６ビットのマイクロプロセッサと、
少なくとも８０メガバイトの大容量記憶メモリと
を少なくとも有する、請求項１０に記載のパーソナル・コミュニケータ。
【請求項１２】
コア・コンピュータ・モジュールが、汎用コンピュータの各コンポーネントのすべてを備えるようにし、分離されるときには、音声起動手段、眼球追跡起動手段、脳波起動手段、頭部及び腕を追跡する手段、タッチ起動手段、及びそれらの組合せで構成されたグループの中から選択される起動手段を有する、請求項１０に記載のパーソナル・コミュニケータ。
【請求項１３】
コア・コンピュータ・モジュールは、ページャー、ディスプレイ・スクリーン及びｅメール手段を含む、請求項１０に記載のパーソナル・コミュニケータ。
【請求項１４】
コア・コンピュータ・モジュールは、ページャー、ファクシミリ手段、パーソナル・オーガナイザー、又はそれらの組合せで構成されるグループの中から選択される手段を含む、請求項１０に記載のパーソナル・コミュニケータ。
【請求項１５】
ディスプレイ・モジュール内のディスプレイよりも実質的に大型で、更に高い解像度を有するディスプレイをモニタの中に機械的に又は無線手段によって格納しうる手段を有する、請求項１０に記載のパーソナル・コミュニケータ。
【請求項１６】
コア・コンピュータ・モジュールが、ディスプレイ・モジュール内の当該ディスプレイよりも実質的に大型で、更に高い解像度を有するディスプレイをモニタの中に格納しうる手段を有する、請求項１０に記載のパーソナル・コミュニケータ。
【請求項１７】
ユーザーの身体に取り付けるための手段を有する、請求項１０に記載のパーソナル・コミュニケータ。
【請求項１８】
取外し可能なモジュールの各々が接続されて組み立てられるとき、通信モジュールの中におけるアンテナ、マウス・ピース及びイヤ・ピースと、前記通信モジュールの外側表面における外側に位置決めされたキー・パッドの中において前記コア・コンピュータ・モジュールに対して接続される手段とを有し、それによって、すべてのモジュールが接続されるときに携帯電話として機能する手段を有する、請求項１０に記載のパーソナル・コミュニケータ。
【請求項１９】
テレビジョン手段、ラジオ手段、スチール写真カメラ手段、ビデオ・カメラ手段及びそれらの組合せで構成されたグループの中から選択される部材をその中に組み込むようにした、請求項１０に記載のパーソナル・コミュニケータ。
【請求項２０】
パーソナル・コミュニケータが少なくとも２つのディスプレイ手段を有し、その第１のものはディスプレイ・モジュール内のものであり、第２のものは通信モジュール又はコア・コンピュータ・モジュール内におけるものである、請求項１０に記載のパーソナル・コミュニケータ。
【請求項２１】
モジュールのすべてが、互いに対して永続的に接続されるようにした、請求項１０に記載のパーソナル・コミュニケータ。
【請求項２２】
通信及びコア・コンピュータの各モジュールが、互いに対して永続的に接続されるようにした、請求項１０に記載のパーソナル・コミュニケータ。
【発明の詳細な説明】
【０００１】
【発明の属する技術分野】
本発明は、ポータブル型の通信手段に関するものであり、より詳細には、電話の機能性、ページャーの機能性及び、コンピュータの機能性を含んで成る新規なコミュニケータに関するものである。本件の米国における出願は、１９９７年８月１５日付けで出願された米国出願０８／９１１，６４２号、及び１９９９年４月１９日付けで出願された米国出願０９／２９４，６６８号の親出願についての一部継続出願である。
【０００２】
【従来の技術】
携帯セルラーフォン又はその他の電話、或いは無線通信又はラジオ通信を使用することは、公知である。多数のページャー・メッセージ及びページャー・ディスプレイのための手段を備えた、ポータブル型のページャーを使用することもまた、公知である。典型的なセルラーフォン及びページャーは、米国特許第５，８８４，１８８号、第５，９３３，０８８号、及び第５，９４０，７４２号明細書において説明されている。身体装着可能な手離し式のコンピュータもまた、公知であり、最も普及しているものは、ザイブナー社（Ｘｙｂｅｒｎａｕｔ　Ｃｏｒｐｏｒａｔｉｏｎ）のモバイル・アシスタント（Ｍｏｂｉｌｅ　Ａｓｓｉｓｔａｎｔ）である。この手離し式のコンピュータは、両者ともザイブナー社によって所有される、米国特許第５，３０５，２４４号（ニューマンＩ…　Ｎｅｗｍａｎ　Ｉ）及び第５，８４４，８２４号（ニューマンＩＩ…　Ｎｅｗｍａｎ　ＩＩ）明細書において説明されている。電話、ページャー及びコンピュータは、広範囲に渡って使用されてきたので、人がそれぞれのものを持ち運ばなければならないということが不便になってしまったのである。加えて、身体装着可能なコンピュータは、次世代のコンピュータであることになり、直ぐにあらゆるビジネスマンが１つのものを一日中持ち歩くことになるということは、想像され得ないことである。
【０００３】
米国特許第５，８４４，８２４号明細書（ニューマンＩＩ）では、モバイル・コンピュータと共に使用されるセルラー式、無線式、ハード回線式などの電話通信手段の使用が明らかに開示されていて、ニューマンＩＩの請求項６が、このコンセプトを明瞭に規定している。そのような組合せの詳述に関するニューマンＩＩの開示は、本件開示の中に引例として組み込まれるものとする。更に、ザイブナー社は、それぞれに、積換え可能なコア・コンピュータ・システム、コア・コンピュータ・ユニット、及びモジュール式の身体装着型コンピュータを開示している、米国特許出願第０８／９１１，６４２号、米国特許出願第０９／００９，２０６号及び米国特許出願第０９／２９４，６６８号という数件の同時係属特許出願を有するものであり、これらの出願の各々は、本発明に関連するコンセプトを開示している。米国特許出願第０８／９１１，６４２号及び米国特許出願第０９／００９，２０６号では、汎用コンピュータの各コンポーネントのすべて（ディスプレイを除く）を有するようにして、モバイル・コア・ユニットが開示されている。このコア・ユニットそれ自体は、それが機能性を供給するものでもあるエンクロージャと電気的に接触していない限り、コンピュータとしては機能しないものである。当該エンクロージャは、当該システムに対して周辺機器を取り付けるための数個のコネクタ・ポートを有する。米国特許出願第０９／２９４，６６８号は、当該コンピュータが身体装着されるものであり、熱制御機構を有するものであるということを除いて、従来的であるコンピュータを形成すべくそれぞれが互いに組み立てられるようにした、モジュール収納式コンピュータのコンセプトを開示している。
【０００４】
上述の特許の各々は、携帯電話、両方向無線、ページャー及びコンピュータを開示するものであるが、その不都合は、これらの特許のいずれもが、モジュール式であって、電話機能、コンピュータ機能、ｅメール、パーソナル・オーガナイザー、ファクシミリ及びページャー機能を提供し得るようにした、容易に持ち運ばれる単一のモバイル構造の使用を示唆するものではないということである。
【０００５】
先行技術の問題は、種々の供給源（例えば、ページャー、通信装置、パーソナル・ｅメール装置、コンピュータ、パーソナル・オーガナイザー）からの多数の入力を実行し或いは処理し得るようにした１つの装置が全く存在しないということであり、それ故、ユーザーが、多数の装置を持ち歩かなければならないということである。先行技術の電話内の小型コンピュータは、身体装着されるとはいえ、或いは分離されて、その他の高度な要求事項のエンクロージャと共に使用されるとしても、汎用コンピュータとして有効である容量及びメモリを有するものではない。コンピュータは、中央の電話位置を経由することなく、多数の情報を記憶することが可能である。更に、送信側が１つのフォーマットにおいて情報を送信する能力のみを（例えば、紙／電子ファクシミリ、電話など）有して、その受信側が紙ファクシミリ、ページャーを受け入れる（受信する）能力を有するものではない場合、又は、当該受信側が、セルラーフォンのみを有するので、現在は電子ファクシミリを受信し得ない場合、又は、そのラップトップが自動車の後部座席にあって、受信側が高速道路を走行している場合には、受信側は、そのラップトップ及びセルラーフォンを使用してステージング・エリアから当該ファクシミリをダウンロードすることが安全になるまで、待機しなければならないことになり、或いは、高度な機密に関わる情報の場合には、送信側は、受信側が当該ファクシミリの安全な受渡しを保証することが可能になるまで、当該ファクシミリの送信に先立って待機することが必要であることになるのである。
【０００６】
現在のところ、第三者が他の人物に情報を通知し或いは送信することが必要であるとき、この送信は、伝えられるべき情報の形式と、この情報を受信するための受信側の人物の能力とに依存する。この送信を受信するための当該受信側の能力は、携帯している装置、即ちページャー又は電話などに対して限定される。即ち、所定の人物に対して情報を通信するための今日の能力は、受信側の人物が如何なるアクセスを有するか或いは所有しているかという能力だけでなく、送信側が如何なるアクセスを有するか或いは所有しているかということによっても限定されるのである。例えば、或る人物がその受信側に対して重要なファクシミリを示すことが必要である場合、当該受信側の人物は、恐らくは、当該情報を受信して表示することが可能である装置を必要とすることになるのである。これは、当該受信側が当該能力（通常は、コンピュータに対して接続されたセルラーフォン）を有するとき、或いは、ファクシミリ機が近く（ホテルの室内、オフィス又はその他の何らかの物理的な場所）に位置しているときに、実行可能である。しかし、当該情報が伝えられることが必要であり、すべてのユーザーが所有しているものがページャー又はセルラーフォンだけであるときには、どうなるであろうか？　当該重要なファクシミリは、意図された当該受信側に対して当該セルラーフォンを通じて読み上げられるか、或いは、離れた場所にファクシミリ送信されることになり、それによって、当該受信側がそれを理解し得ることになるか、或いは当該ファクシミリが所定のステージング・エリア（典型的には、ｅメールであるか、又は後のダウンローディングのためにインターネットに記憶される）に送信されることになるのである。
【０００７】
【発明が解決しようとする課題】
従って、本発明の１つの目的は、上述の不都合を免れたモバイル構造を提供することである。
【０００８】
本発明のもう１つの目的は、コンピュータ、無線電話及びページャーとして機能することが可能であるようにした、１つの構造を提供することである。
【０００９】
本発明の更にもう１つの目的は、必要に応じて、コンピュータ、ページャー及びセルラーフォンに分解されることが可能であるようにした、モジュール式構造を提供することである。
【００１０】
本発明の更なるもう１つの目的は、分解されて、より大型のディスプレイ又はモニタに対して取り付けられることが可能であるようにした、コア・モジュールを包含するパーソナル・コミュニケータ・ユニットを提供することである。
【００１１】
更に、本発明の更なるもう１つの目的は、それぞれがモジュール式の構成において互いに対して取り付けられる身体装着型コンピュータ、セルラーフォン及びページャーの技術を組み込むようにした、パーソナル通信手段を提供することである。
【００１２】
更になお、本発明の更なるもう１つの目的は、共有視野のために高解像度のＦＰＤに対して接続される手段を有するようにした、コア・コンピュータ・モジュールを備えたパーソナル通信手段を提供することである。
【００１３】
【課題を解決するための手段】
本発明のこれらの目的及びその他の目的は、概略的に言って、通信（電話）モジュール、取外し可能なコア・コンピュータ・モジュール、及び取外し可能なページャー・モジュールの取外しを許容するようにした、少なくとも３つのモジュールを包含するモジュール式の形態を採るパーソナル・コミュニケータによって達成される。それらの３つのモジュールが取外し可能であることは、好適であるが、それは必要なことではなく、それらのモジュールは、互いに取り外され得ない構造において利用されることも可能である。「パーソナル・コミュニケータ」という用語は、本件開示の全体を通じて、すべての３つのモジュール、即ち、１．通信モジュール、２．ディスプレイ・モジュール、３．コア・コンピュータ・モジュールを備えたユニットを意味している。所定の実施例において、当該ページャー及びコア・コンピュータ・モジュールは、１つの同じモジュールの中に包含されることも可能である。バッテリーは、任意の適当なモジュール（各モジュール）の中に配置される。当該コア・コンピュータ・モジュールは、米国特許出願第０８／９１１，１６２号及び米国特許出願第０９／２９４，６６８号の同時係属出願において説明されたものと全く同じである。当該分野において周知であり、米国特許第５，８８４，１８８号及び米国特許第５，８７０，６７８号明細書において説明されたようなセルラーフォンを包含する任意の適当な携帯電話が、「通信手段」として使用されることも可能である。これもまた任意の周知のものであり或いは適当なものであるページャー・モジュールが、米国特許第５，９３３，０８８号及び第５，９４０，７４２号明細書において開示されたページャーのようなものとして使用されることも可能である。任意の適当な周知のｅメール手段が、本発明の当該構造の中に組み込まれることも可能である。本発明の当該パーソナル・コミュニケータは、小型ではあるが効果的であるディスプレイとアンテナとを提供するものであり、それらのすべては、添付図面に関係して後に規定されることになる。更に、それらの３つのモジュールの「パーソナル・コミュニケータ」、即ち、通信モジュール、ディスプレイ・モジュール及びコア・コンピュータ・モジュールは、非常に好適なものであるが、スチール写真及び／又はビデオのカメラ、及び／又はテレビジョン、及び／又はラジオのようなその他の装置が、当該ディスプレイ・モジュール（又はその他のモジュール）の中に組み込まれることも可能である。当該ディスプレイ・モジュールの中における当該ディスプレイは、この実施例が使用される場合には、ビデオ・ディスプレイ又はテレビジョン・スクリーンとして機能することも可能である。既に市場に出回っているようなものである任意の周知の形式のラジオ、テレビジョン又はカメラが、本発明において使用されることも可能である。本発明の当該通信システムの中心部分は、コンピュータであり、従って、それは、任意の通信システム、即ちページャー、電話、ｅメール、ファクシミリなどにおいて使用されるものとして適応されることが可能である。ユーザーが自分のデスクに着いているとき、（フォーマットに関わることなく）情報を送信するその能力は、単純である。デスクトップＰＣは、ファクシミリを受信し、ｅメールを送受信し、データファイルをダウンロードし及び閲覧／使用／操作し、電話の呼出しを掛け（ＩＰによる音声）、ウェブを見て廻り、その他の一般的なコンピュータ機能を実行することなどが可能なのである。オフィスから出たときにそのデスクトップの環境を最も有効に模倣するためには、セルラーフォン、ページャー、パーソナル・オーガナイザー及びラップトップ・コンピュータ機能を携帯することが必要であることになり、たとえ、これらの装置の能力の幾つかが部分的に重複するとしても、それらが、当該ユーザーに便益を提供するのである。それらは、主として、当該ユーザーが、所定の状況において、当該ユーザーが実行している何らかの機能の故に、所定の装置を使用することが不可能であるという理由で、部分的に重複するものである。本発明は、前記機能のすべてによって情報を送信し或いは受信することが可能であるようにした、簡便なモバイル・パーソナル・コミュニケータを提供する。それらが通信能力を組み込んでいるときには必ず先行技術に基づいているそれらの設計は、典型的には、単一のサービス・プロバイダーと通信するに足る十分なハードウェア・リソースを有するものであるが、本発明は、当該コア・モジュールの故に、それらの設計に関して、コール毎のベースにおいて或いは何らかのマルチチャンネル・インプリメンテーションではパケット毎のベースにおいて、多くの異なったサービス・プロバイダーと共にそれらが使用されることを許容するに足る十分なフレキシビリティとリソースとを有するのである。これは、ユーザーが、１つ又は多数のサービス・プロバイダーと共にそれを使用し、それらの間において随意に変更して、単一のプロバイダーに固定されないようにして、その購入したパーソナル・コミュニケータを強化することを許容することになる。
【００１４】
当該コンピュータ・コア・モジュールは、分離されるときには、音声起動、眼球追跡起動手段、脳波起動手段、頭部及び腕の起動手段、及びそれらの組合せのようなものである手離し様式の起動を有する。これらの手離し様式の起動手段のすべては、上述のように、本件開示の中に引例として組み込まれるようにした、米国特許第５，８４４，８２４号明細書において詳細に開示されて説明されている。当該コンピュータ・コアは、米国特許出願第０８／９１１，１６２号において開示されたように、身体装着され得るものであるか、或いはもう１つのエンクロージャに対して取り付けられることが可能である。本発明に関しては、当該コンピュータ・モジュールが、汎用コンピュータによって構成されるものであり、取外し可能であるか又は取外し可能ではないものであり、本発明の当該パーソナル・コミュニケータ以外のその他のエンクロージャ又はシステムと共に使用されることになる手段を有するということが非常に重要である。本発明は、今日普及している通信システムの任意のもの、即ち、セルラーフォン、ページャー、ｅメール、コンピュータ、パーソナル・オーガナイザー及びファクシミリを利用することが可能であるようにした、コミュニケータを提供する。結果として、ページャーのみを備えた送信者は、ファクシミリ又は電話のみを備えた送信者がその相手と連絡を取るのと同様に、この同じ相手と連絡を取ることが可能であることになる。ここに説明される本発明は、多数の装置を誰かが持ち運ばなければならないという必要を回避するだけでなく、それらの通信手段の総計の範囲が送信され或いは受信されることを許容するものでもある。
【００１５】
本件構造は、ユーザーによって完全に支持され、当該ユーザーのために情報を手離し様式で検索して表示するようにした、小型の自蔵式ポータブル・コンピュータ・モジュールを包含する。当該コンピュータ装置は、ユーザーによって支持されるべく当該ハウジングを当該ユーザーに対して取外し可能に取り付けるための取付け手段を有するか或いは有し得ないようにした、ハウジングを包含する。更に、当該ハウジングは、先行して入力された情報を記憶するための記憶手段と、当該記憶手段に連絡して、ｅメール能力を包含する記憶されたプログラムに従って情報及びユーザーの命令を受信し、検索し、処理するようにした、プロセッサ手段とを包含することも可能である。ＥＴＭ及びＩＥＴＭの大きなデータベースが当該自蔵式のモバイル・コンピュータ装置によってアクセスされることになるので、当該データベースを包含する記憶手段に対して容易にインターフェースするための手段が必要とされる。当該コンピュータ装置の当該ハウジングは、アクセス・ポートを包含するものであり、それによって、データを包含する様々な記憶手段が、インターフェースされ得ることになり、連絡が確立されることになる。当該記憶手段と当該コンピュータ装置の間におけるアクセス及びデータの転送は、本件出願において説明される様々な手離し様式の起動手段によって完全に制御され、達成され得ることになる。当該アクセス・ポートは、当該記憶手段の直接的な電気的取付けを許容するものであるが、その他の配線接続及び無線接続もまた使用される。当該コンピュータ・モジュールが分離されて、それだけで使用されるとき、使用され得る起動手段は、上述の眼球追跡、脳波起動手段、頭部及び腕を追跡する手段、及びそれらの組合せを包含する。当該コンピュータ装置は、従来的なコンピュータ・コンポーネントのすべてに加えて、当該プロセッサ手段から情報を受信し、当該受信された情報をユーザーのために表示するようにして、当該プロセッサ手段に連絡するディスプレイ手段をも更に包含するものであり、当該ディスプレイ手段は、当該ユーザーによって支持されるので、それにより、当該ユーザーは、音声命令を備えるか或いは備えることなく、脳波起動又は眼球追跡のみを利用して、情報を手離し様式で表示すべく当該コンピュータ装置を作動させることが可能になるのである。
【００１６】
上述のように、眼球追跡、脳波起動制御（脳波制御法）、及び頭部及び腕を追跡する手段についての詳細は、本件開示の中に引例として組み込まれる米国特許第５，８４４，８２４号明細書において詳細に開示されている。
【００１７】
本発明の１つの実施例の更なる特徴は、各々のモバイル・コンピュータ・モジュールの中において使用されるアダプタを利用して、その内部におけるセルラーフォン又はハード回線式の電話通信の使用を許容する。当該セルラーフォン通信手段の代わりに、無線周波数、赤外線、レーザー又は光ファイバー・トランシーバー、或いはその他の通信手段が使用されることも可能である。これらのものは、本件開示では、概ね「通信手段」と呼ばれるものとする。
【００１８】
本発明の当該コンピュータ装置モジュールは、多数の人物及び／又はコンピュータの間における手離し様式の電話通信を提供するようにして、電話システムとインターフェースされることが可能である。１つ又はそれ以上のこれらのものは、本件コンピュータ装置を使用することによって、電話通信を実行するものであることも可能である。前述のように、通信は、音声及びデータを包含することが可能であるが、それらに限定されるものではなく、組み込まれたテスト・コードに関する質問及び制御、ビデオ画像、及び音響をも包含することになる。操作は、本件コンピュータ装置の音声起動機構を使用する手離し様式であることが可能であり、キーパッドを使用する手動による起動、或いは両者の組合せであることも可能である。
【００１９】
インターフェースされることが可能である電話システムは、家庭及び中小企業において一般に見出されるＲＪ−１１壁ジャック、中堅企業及び大企業において見出される複数回線電話交換システム、セルラー通信、無線周波数の通信インターフェース、及び以上のいずれかのものに関するコードレス付属品を包含するが、これらに限定されるものではない。
【００２０】
その基本的なシステムは、本発明の当該装置、即ち音声起動及びヘッド・マウンテッド・ディスプレイ又はその他のユーザー支持型ディスプレイを備えた手離し様式の身体装着型コンピュータと、電話システムと、従来的なアナログ音声信号とそれらの２つのコンポーネントの間におけるコンピュータ・データとの両方を統合するようにした２つのものの間における独特な電子的インターフェースとを統合するものである。
【００２１】
私設電話だけでなく公衆電話の通信をも本システムの中に統合することは、既存のコンピュータ・システムと共に現在使用されているような音声／データ・モデム（変調器／復調器）を使用して達成されることが可能である。当該モデムは、そのホスト・コンピュータに組み込まれているものであり、或いは、それは、「ＰＣＭＣＩＡ」即ち「ＰＣカード」として当該ホスト・コンピュータの中に挿入され得るものである。更に、当該ヘッドセット内における通信手段もまた、通信手段を介してリモート装置にインターフェースするために組込み式のモデムを利用することが可能である。当該システムのそれらの通信手段を使用すれば、データ及び音声は、ヘッドセットとモバイル・システムの間だけでなく、各モバイル・システムの間においても送信され受信されることが可能である。
【００２２】
本発明の１つの実施例では、入出力の２つの異なったセット及び２つの異なった形状因子を包含するが、コンピュータの機能性（追加の機能性を包含することが可能であろうと可能でなかろうと）をそれらの２つの異なったセットの間において単純に交換することによって、当該コンピュータの基本的なコンピュータ機能性及び／又はサブアセンブリを使用するようにして、製品が設けられる。小型のセット即ち構造は、身体装着型又はハンドヘルド型のコンピュータの機能性だけでなく、電話及びその他の通信の機能性をも包含するパーソナル・コミュニケータであることになると構想される。それらの設計の少なくとも１つは、ジャケット又はワイシャツのポケットの中に納まることになる小型のＦＰＤ又はその他の形式のディスプレイを包含するようにしたセット即ち構造、大きな用紙サイズ（８．５インチ×１１インチ）又はラップトップ・サイズの高解像度のＦＰＤ又はその他の形式のディスプレイを包含するようにしたセット即ち構造、及びコンピュータの機能性だけでなくページャーの機能性をも包含するようにした共通モジュールの中の１つを包含することになると構想される。当該高解像度の大型フラットパネル・ディスプレイのセット即ち構造は、多数の人々による共有視野のためには小さ過ぎるスクリーンを有する小型形状因子のコンピュータによって生じることになる基本的な問題を解決するものである。
【００２３】
本発明の当該設計は、身体装着型コンピュータの機能性、セルラーフォン、パーソナル・ｅメール手段、パーソナル・オーガナイザーの機能性、及びページャーの機能性を、単一の身体装着型又はハンドヘルド型のパーソナル・コミュニケータの中に統合するものである。当該パーソナル・コミュニケータは、１つ又はそれ以上の機能を包含する各モジュールの分離を可能にするようにして、モジュール様式で設計される。それらのモジュールは、その後、より大型のＦＰＤ又はその他の任意の形式のディスプレイと共に使用されることも可能であることになる。特に重要なものは、身体装着型ＰＣのコア機能性とページャーの機能性とを包含するモジュールである。そのようなモジュールは、当該パーソナル・コミュニケータから分離され得るものであり、フォリオ形式のパッケージングの中にパッケージされ、共有視野のために逆Ｖ字形状で平坦表面において自立するものとして設計されることが可能であるようにして、ラップトップの機能性を構成する付属物として大型のフラットパネル・ディスプレイに対して取り付けられ得ることになる。
【００２４】
図面のすべて及びそれらの図面に関する説明は、本発明の音声起動手段のみを使用するものに関連することになるが、音声起動だけが当該電話又は通信モジュール（セルラーフォンなど）及び全体の「パーソナル・コミュニケータ」の中において使用されることが可能である一方で、キーボード及びペン起動が当該ページャー・コンポーネントにおいて使用されることも可能である。キーボード又はタッチスクリーンは、当該電話モジュールにおいて、それだけで或いは音声起動と組合せて使用されることも可能である。当該タッチスクリーンは、当該ディスプレイ手段として使用されることもまた可能である。
【００２５】
【発明の実施の形態】
図１及び図２では、第１の実施例である本発明のハンドヘルド型パーソナル・コミュニケータ１が、３つの取外し可能なモジュール、即ち通信モジュール２、ディスプレイ・モジュール３及びコア・コンピュータ・モジュール４を有するものとして示されている。本発明の１つの実施例における当該コア・コンピュータ・モジュール４は、小型ディスプレイ９を備えたページャーをも包含する。当該パーソナル・コミュニケータ１は、身体装着型コンピュータの機能性をセルラーフォン及びページャーの機能性と共に統合させるものであり、３つの独立した煩わしいユニットではなく、唯１つの小型ユニット１が装着されるだけで足りることになる。当該コンピュータ・モジュール４は、それが、その後、より大型のフラットパネル・ディスプレイ又は汎用コンピュータのようなその他の任意の構造と共に使用され得るようにして、設計される。本発明における独特な機構は、各々のモジュール２、３又は４が、その後、その他のシステムの中において使用され得るということである。更に、ラジオ、テレビジョン、ビデオ・カメラ、スチール写真カメラ、又はそれらの混合物で構成されるグループの中から選択されるような付属物もまた、各モジュール２、３又は４の少なくとも１つの中において、或いはそれらと共に一体的に使用されることが可能である。１つの好適な実施例における当該パーソナル・コミュニケータ又は当該コア・コンピュータ・モジュール４は、ユーザーに対して、ウエスト、胴体又は手首に巻き付けるようにして接続するための手段２０を有する。接続手段２０は、ユニット１の前部又は後部のいずれか或いは両方に設けられることも可能である。当該コア・コンピュータ・モジュール４は、当該パーソナル・コミュニケータ１から分離され得るものであり、ラップトップの機能性を構成する大型のフラットパネル・ディスプレイ（ＦＰＤ）に対して取り付けられ或いは接続され得ることになる。当該ＦＰＤは、図７Ａ及び図７Ｂにおいて示されたように共有視野のために逆Ｖ字形状で平坦表面において自立する手段を有するようにした、フォリオ形式の設計であることが可能である。図１における当該ユニット１は、従来的なセルラーフォン（又はその他の通信手段）と同様に、アンテナ５を有する。これ（即ち追加アンテナ５）は、ラジオ又はテレビジョンが当該システムにおいて使用されるときに使用されることが可能である。それらのラジオ、テレビジョン又はカメラという付属物は、内部における一体的なものとして示されることになり、各モジュール２、３又は４の外観を変えることにはならないので、それらの図面において詳細には示されていない。例えば、当該ディスプレイ・モジュール３は、当該テレビジョン・スクリーンであることも可能であり、当該タッチボード又はスクリーン７は、当該チャンネル又はラジオ局のセレクターであることも可能なのである。両者に関する音量は、任意の適当な周知の手段によって制御されることが可能である。当該通信モジュール２の中には、ユニット１が携帯電話即ちセルラーフォンとして使用されるときにそのユーザーが話すことになるイヤ・ピース６及びマイクロフォン８が位置決めされる。タッチスクリーン７は、当該通信モジュール２とコア・モジュール４の間に位置決めされるものであり、当該タッチスクリーン７は、二重の用途を有する。即ち、それは、呼び出される電話番号をタッチするために使用されるものであり、更に、それは、当該パーソナル・コミュニケータ１及び／又は当該コア・コンピュータ・モジュール４のためのディスプレイとして使用されることも可能なのである。「コア・コンピュータ」モジュールという用語では、本件開示の全体を通じて、以下のパラメータを有するコンピュータが意味されている。即ち、少なくとも１６ビットのマイクロプロセッサ、少なくとも３２メガバイトのＲＡＭ、少なくとも８０メガバイトの大容量記憶メモリ、及び少なくとも６４０×４８０のフルＶＧＡディスプレイの使用という各パラメータを有するコンピュータである。本発明にとって非常に重要なことは、当該コンピュータが、意図された様式のすべてにおいて機能し、汎用コンピュータとして有益であるようにして、これらの特徴を有するということである。
【００２６】
「ディスプレイ・モジュール」という用語では、本件開示の全体を通じて、少なくとも６４０×４８０のフルＶＧＡ解像度を有するディスプレイが意味されている。
【００２７】
図３では、当該パーソナル・コンピュータ１の１つの実施例が、各々のモジュールが取り付けられるようにして示されている。この実施例では、タッチスクリーン７を備えた通信モジュール２が、コア・モジュール４及びディスプレイ・モジュール３に対して取り付けられている。この実施例におけるコア・コンピュータ・モジュール４は、当該ページャー及びページャー・スクリーン９を包含する。この図３において示された当該ディスプレイ・モジュール３は、必要に応じて、当該分野において周知である従来的な構造を備えた任意の周知のテレビジョン、ラジオ、ビデオ、又はスチール写真カメラを包含することが可能である。更に、ディスプレイ・モジュール３は、ファクシミリを介して当該ユニット１に対して送信されるテキスト（又はその他の情報）を受け入れるための手段をも有するものである。
【００２８】
図４では、各々のモジュールの後部が、各々のモジュールを互いに電気的且つ物理的に接続するために使用されるようにした、電気的なコネクタ１０と共に示されている。この実施例において、そのコンピュータ及びページャーは、モジュール４の中に位置するものであり、より良好な解像度及び共有視野のために図７Ａ及び図７Ｂにおいて示されたような大型のＦＰＤに対して取り付けられることも可能である。図４は、各モジュール２、３及び４が互いに分離されていることを除いて、図３におけるものと同じ実施例を示している。図１から図４のすべての実施例では、任意の適当なバッテリーが、本発明の背景において前述されたように、米国特許第５，８４４，８２４号明細書の従来的な身体装着型コンピュータ又は電話の場合と同様に使用され得ることになる。図５及び図６では、当該ユニット１は、各々のモジュール２、３及び４が接続されるときの背面図において示されている。この実施例において、当該キーパッド７は、通信モジュール２の外側に設けられるものであり、当該パッド７は、それらのモジュールが組み立てられるときに使用されることも可能である。電話ディスプレイ１９もまた、その背面に位置決めされるものであり、それもまた、組み立てられるときに使用されることが可能である。
【００２９】
前述のように、当該コア・モジュール４は、パーソナル・コミュニケータ１即ち全体のユニット１から取り外され得るものであり、任意のその他の適当なエンクロージャにおいて（共通して所有されている米国出願０８／９１１，６４２号及び米国出願０９／００９，２０６号において開示されるように）使用されることが可能であり、図７Ａ及び図７Ｂにおいて示されたフォリオ１１のような大型のＦＰＤと共に使用され得ることになる。図７Ａ及び図７Ｂでは、逆Ｖ字形状のフォリオ１１が、バッテリー・スティック１２、ヒンジ付きカバー１３、及び大型ディスプレイ・スクリーン１４を有するものとして示されている。図７Ｂの開いたフォリオ１１は、平坦表面において確実に自立し得るものであり、当該コンピュータ・モジュール４（又はユニット１）が図７Ａにおける格納開口２１の中に格納される場合には、ラップトップの機能性を構成するようにした所定の機能性をユーザーに対して付与し得ることになる。当該バッテリー・スティック１２は、当該ヒンジ部分即ちハウジング１５の中に納まるものであり、当該ラップトップ要求事項と同様に必要とされる電力を提供する。当該ハウジング１５は、ユニット１又はコア・コンピュータ・モジュール４がフォリオ１１と共に使用されるときにその中に納まることになる、格納ポート即ち開口１６を包含する。図７Ａは、使用の準備が整って、モニタ即ちディスプレイ・スクリーン１４を介して表示するようにして格納されたユニット１（即ちパーソナル・コミュニケータ１）を示している。更に、フォリオ１１の中に設けられるものは、音声ジャック、イヤホン、ヘッドマウンテッド・ディスプレイ、又は任意のその他の適当な周辺機器に対して接続するための多数の周辺機器ポート１７である。
【００３０】
本発明の根底にある原理を説明すべく、本発明の好適な実施例及び最も好適な実施例が、本文において説明され、添付図面において示されてきたが、本発明の精神及び範囲から離れることなく、数多くの修正物及び派生物が形成され得るものであると理解されるべきであり、例えば、前述のように、それらのモジュールは、取外し可能又は分離可能であることが好適であるが、すべてが永続的なユニットとして取り付けられることも可能である。更に、それらの好適なパラメータは、少なくとも８０メガバイトを包含するものであるが、必要に応じて、より少ないメガバイトが使用されることも可能であることになるのである。
【図面の簡単な説明】
【図１】当該通信モジュール及びコア・コンピュータ・モジュールが一緒に接続されて示されている、本発明のパーソナル・コミュニケータの後部斜視図である。
【図２】各モジュール・コンポーネントが互いに分離されている、本発明のパーソナル・コミュニケータの１つの実施例の前部斜視図である。
【図３】それらの３つのモジュールのすべてが互いに取り付けられている、本発明のパーソナル・コミュニケータの１つの実施例の前部斜視図である。
【図４】それらのモジュールのすべてが互いに分離される場合における図３のパーソナル・コミュニケータの後部斜視図である。
【図５】それらのモジュールのすべてが接続されて適所に納まるようにした、本発明の１つの実施例の後部斜視図である。
【図６】それらのモジュールのすべてが接続されて、当該ディスプレイ・モジュールの適所における位置を示すようにした、本発明の１つの実施例の後部斜視図である。
【図７】Ａは大型スクリーンを備えて、当該ユニット１がその中又はその表面に格納されるようにして、閉じたフォリオを示している斜視頂面図、Ｂは当該ユニット１がその中に格納されないようにした開放モードにおけるフォリオの斜視正面図である。
【符号の説明】
１　パーソナル・コミュニケータ、２　通信モジュール（セルラーフォン）、３ディスプレイ・モジュール、４　コア・コンピュータ・モジュール、５　アンテナ、６　イア・ピース、７　タッチスクリーン（キーパッド）、８　マイクロフォン、９　小型ディスプレイ、１０　電気的なコネクタ、１１　フォリオ、１２　バッテリー・スティック、１３　ヒンジ付きカバー、１４　大型ディスプレイ・スクリーン、１５　ハウジング、１６　開口（格納ポート）、１７　周辺機器ポート、１９　電話ディスプレイ
【図１】
2004112764.tif 000003
【図２】
2004112764.tif 000004
【図３】
2004112764.tif 000005
【図４】
2004112764.tif 000006
【図５】
2004112764.tif 000007
【図６】
2004112764.tif 000008
【図７】
2004112764.tif 000009